(57)【特許請求の範囲】
【請求項１】
基台（１）の上面に電線管等が載置される半円弧状の管受部（１１）と、その上面両側の相対する位置に相互に嵌合し得る窪み（１２ａ）と突起（１２ｂ）とを有し、また基台（１）の両側面には相互に嵌合し得る凹部（１３ａ）と凸部（１３ｂ）とが設けられた配管用枕台であって、基台（１）の下面には、当該基台の前端又は後端から距離Ｌ１だけ離れた位置に幅方向に延びる突条（１４ｂ、１５ｂ）と、当該突条が幅方向にスライド自在に嵌合し得る溝を構成する係止突起（１４ａ、１５ａ）を当該基台の後端又は前端から距離Ｌ１だけ離れた位置に並列して設けたことを特徴とする配管用枕台。
【発明の詳細な説明】
【０００１】
【発明の属する技術分野】
本発明は、電線管等を地中に埋設する際に複数本の電線管等を確実に支持できると共に、一組となった上下の枕台を幅方向にスライドさせることによって枕台で支持される電線管等の位置や間隔等を適宜調整できる配管用枕台に関する。
【０００２】
【従来の技術とその課題】
実公昭５９ー１３４１８号には、電線管を地中する埋設する際に使用する配管用枕台が提案されている。ところが、この配管用枕台は施工性に若干の問題があつた。即ち、この従来の配管用枕台は、上下の枕台同志と、左右の枕台同志とを連結ピンによって接続するため、配管の施工現場で上下及び左右の枕台同志を接続する作業が煩雑で、手間がかかるということがあった。
【０００３】
また、この従来の枕台はその下面に鍵形突条と切欠部とを有し、上下一組となつた枕台同志を前記鍵形突条と切欠部とで接続するため、一組となった上下の枕台を幅方向にスライドさせることができなかった。このため、枕台で支持される電線管等の位置や間隔等を現場の施工状況等に応じて適宜調整できないという問題があった。
【０００４】
本発明はかかる課題を解決したものであって、現場での施工作業が簡単かつ確実に行え、また上下複数段に亘ってセットするとき一組の枕台を幅方向にスライドさせることによって、現場の施工状況等に応じて電線管等の位置や間隔等を適宜調整できる配管用枕台を提供するものである。
【０００５】
【課題を解決するための手段】
本発明は、基台の上面に電線管等が載置される半円弧状の管受部と、その上面両側の相対する位置に相互に嵌合し得る窪みと突起とを有し、また基台の両側面には相互に嵌合し得る凹部と凸部とが設けられた配管用枕台であって、基台の下面には、当該基台の前端又は後端から距離Ｌ１だけ離れた位置に幅方向に延びる突条と、当該突条が幅方向にスライド自在に嵌合し得る溝を構成する係止突起を当該基台の後端又は前端から距離Ｌ１だけ離れた位置に並列して設けたことを特徴とする。
【０００６】
【発明の実施の形態】
以下、本発明の実施の形態を図面にて詳細に説明する。
図１は本発明の一実施例を枕台の平面図、図２は枕台の正面図、図３は枕台の底面図、図４は枕台の側面図、図５は基台の下面に設けた突条と、該突条がスライド自在に嵌合し得る溝を構成する係止突起とを示す他の実施例の斜視図、図６は枕台を上下・左右にセットして電線線等を敷設した状態を示す正面図である。図中の符号１Ａは枕台であって、該枕台１Ａは塩化ビニル樹脂等の合成樹脂、ＦＲＰ、廃プラ等の射出成形によって一体的に形成される。
【０００７】
枕台１Ａは矩形状をなす基台１の上面に半円弧状の管受部１１を有し、その上面両側の相対する位置に相互に嵌合し得る窪み１２ａと突起１２ｂとが設けられている。即ち、図６に示した如く、一方の枕台１Ａの上に他方の枕台１Ａを反転倒立させて載置したとき、それぞれの枕台１Ａの窪み１２ａと突起１２ｂとが嵌合して接続されるようになっている。このとき、前記窪み１２ａと突起１２ｂとが基台１の上面中央から距離Ｌ０だけ離れた相対する位置に設けられていると、窪み１２ａに突起１２ｂを容易に嵌挿でき、セッティングが簡単に行えるという利点がある。
【０００８】
また、基台１の両側面には相互に嵌合し得る凹部１３ａと凸部１３ｂとが設けられており、図６に示した如く相隣り合う左右の枕台１Ａ、１Ａの凹部１３ａと凸部１３ｂとが嵌合して接続されるようになっている。尚、図面には断面Ｃ字状の凹部１３ａに、断面Ｔ字状の凸部１３ｂが嵌合するものを例示したが、凹部１３ａに凸部１３ｂがスライド可能に嵌合して、そのスライド方向に対して直角方向への抜け出しが防止できるものであれば、その形状等は特に限定されない。
【０００９】
一方、基台１の下面には、図３に示した如く、基台１の前端又は後端から距離Ｌ１だけ離れた位置に幅方向に延びる突条１４ｂと、当該突条１４ｂが嵌合して幅方向にスライドし得る間隙の溝を構成する一対の係止突起１４ａが当該基台の後端又は前端から距離Ｌ１だけ離れた位置に並列して設けられている。
この場合、突条１４ｂを基台１の前端から距離Ｌ１だけ離れた位置に設けた場合には、係止突起１４ａは基台１の後端から距離Ｌ１だけ離れた位置に並列して設け、また突条１４ｂを基台１の後端側の位置に設けた場合には、これに対応して係止突起１４ａは基台１の前端側の位置に並列して設けられる。
【００１０】
図５に示した如く、前記突条１４ｂは先端を膨出させて弾発的に一対の係止突起１４ａの間に嵌入させるようにするのが好ましい。このとき、突条１４ｂの両面と、係止突起１４ａの内面に凹凸を設けておくと、係止突起１４ａの間に突条１４ｂを嵌合させて一組の枕台１Ａを位置決めしたとき、上方の枕台１Ａがみだりに位置ずれするのを防止することができる。
【００１１】
また、前記突条１４ｂと係止突起１４ａは、図３に破線で示した如く基台１の下面に２本以上設けることができる。この様に、突条１４ｂ、１５ｂ…と係止突起１４ａ、１５ａ…とを基台下面の前端及び後端から同じ距離だけ各々離れた位置に 並列に複数箇所設けられていると、図６に示した如くサイズの異なる各種の枕台を使用することができ、一方の枕台に設けられた突条と係止突起とを、他方の枕台に設けられた突条と係止突起とに嵌合させて接続することができる。更には、係止突起１４ａは必ずしも一対である必要はなく、破線で示した如く係止突起１５ａの如く、千鳥状に配列してもよい。
【００１２】
前述した枕台１Ａを用いて電線管Ｐ１、Ｐ２を敷設する場合、図６に示した如く掘削した溝の底に枕台１Ａを敷き並べる。このとき、隣り合う左右の枕台１Ａ、１Ａの凹部１３ａと凸部１３ｂとをスライド嵌合させて接続する。そして、それぞれの枕台１Ａの管受部１１に電線管Ｐ１を載置すると共にその上に反転倒立させた他方の枕台１Ａを載置し、上下の枕台１Ａ、１Ａの窪み１２ａと突起１２ｂとを嵌合させて組み合わせる。
【００１３】
次に、この一組の枕台１Ａの上面に他方の一組の枕台１Ａを載置して順次複数段に亘って電線管を敷設することができる。このとき、上方に載置する枕台１Ａを幅方向（左右方向）にずらすことによって、上方に敷設する電線管Ｐ１  の位置や間隔を適宜調整することができる。また、上方に載置する枕台１Ａのサイズを変更することによって、サイズの異なる電線管Ｐ２  を適宜の位置に任意の間隔で敷設することができる。この様にして電線管を敷設した後、掘り起こした土砂等を投入して埋め戻しを行うと、施工作業が完了する。
【００１４】
【発明の効果】
以上詳述した如く、本発明の枕台を用いると、上下及び左右の枕台同志を簡単かつ確実に接続することができる。また、本発明では、基台の下面に幅方向に延びる突条と、当該突条がスライド自在に嵌合し得る溝を構成する係止突起を基台下面の前端及び後端から同じ距離だけ離れた位置に並列して設けたので、一組となった上下の枕台を幅方向にスライドさせることによって枕台で支持される電線管等の位置や間隔等を適宜調整できる。また、前記突条と係止突起とを複数箇所に設けておくと、サイズの異なる各種の枕台を使用することができると共に、サイズの異なる複数本の電線管を敷設することができる。
【図面の簡単な説明】
【図１】図１は本発明の一実施例を枕台の平面図である。
【図２】図２は図１に示した枕台の正面図である。
【図３】図３は図１に示した枕台の底面図である。
【図４】図４は図１に示した枕台の側面図である。
【図５】図５は基台の下面に設けた突条と、該突条がスライド自在に嵌合し得る溝を構成する係止突起とを示す他の実施例の斜視図である。
【図６】図６は枕台を上下・左右にセットして電線線等を敷設した状態を示す正面図である。
【符号の説明】
１Ａ    枕台
１    基台
１１    管受部
１２ａ    窪み
１２ｂ    突起
１４ａ，１５ａ    係止突起
１４ｂ，１５ｂ    突条
【図１】
0003568771.tif 000002
【図２】
0003568771.tif 000003
【図３】
0003568771.tif 000004
【図４】
0003568771.tif 000005
【図５】
0003568771.tif 000006
【図６】
0003568771.tif 000007